(57)【要約】【課題】誤って過電圧が入力された状態にて読み取り動作を行おうとした場合でも、スキャナのハードウエアが破壊されることを防ぐことが可能な画像読取装置を提供することを課題とする。【解決手段】原稿を走査して読み取った画像を、電気的な画像信号に変換するイメージセンサと、電源投入後に外部から供給される電源の電圧検知を行う電圧検知手段と、検知された電圧値が所定の値を越えていた時に、原稿の読み取り動作を行わないように制御する制御手段とを有することを特徴とする画像読取装置が提供される。【選択図】        図４
2004193783.tif 000002
【特許請求の範囲】
【請求項１】
原稿を走査して読み取った画像を、電気的な画像信号に変換するイメージセンサと、
電源投入後に外部から供給される電源の電圧検知を行う電圧検知手段と、
前記検知された電圧値が所定の値を越えていた時に、前記原稿の読み取り動作を行わないように制御する制御手段と
を有することを特徴とする画像読取装置。
【発明の詳細な説明】
【０００１】
【発明の属する技術分野】
本発明は、画像読取装置に関する。
【０００２】
【従来の技術】
画像読取装置（以下、スキャナという）は、原稿を走査して読み取った画像を、電気的な画像信号に変換するイメージセンサにて読み取り、それをＡ／Ｄ変換器にてデジタル化した画像信号を外部装置に転送することが可能である。
【０００３】
従来の外部からのＤＣ電源を使用して動作するスキャナにおいては、電気回路のコストを削減するために、モーターや光源のドライブ回路に供給する電源は、外部からの電源をそのまま使用するようにしていた。
【０００４】
【発明が解決しようとする課題】
しかしながら、操作者が誤って所定の電源以外の電源を使用した場合に、その電圧値が所定の電圧値より高かった場合に、その状態にて画像の読取りを行おうとすると、場合によってはスキャナのハードウエア（モータや光源のドライブ回路等）が破壊してしまう可能性があった。
【０００５】
本発明の目的は、前記問題に鑑みて、誤って過電圧が入力された状態にて読取り動作を行おうとした場合でも、スキャナのハードウエアが破壊されることを防ぐことが可能なスキャナを提供することにある。
【０００６】
【課題を解決するための手段】
本発明の一観点によれば、原稿を走査して読み取った画像を、電気的な画像信号に変換するイメージセンサと、電源投入後に外部から供給される電源の電圧検知を行う電圧検知手段と、前記検知された電圧値が所定の値を越えていた時に、前記原稿の読み取り動作を行わないように制御する制御手段とを有することを特徴とする画像読取装置が提供される。
【０００７】
本発明によれば、外部から供給される電源電圧が所定値を越えた時には原稿読み取り動作を行わないので、誤って過電圧が入力された状態にて読み取り動作を行おうとした場合でも、画像読取装置のハードウエアが破壊されることを防ぐことができる。
【０００８】
【発明の実施の形態】
以下に図面を参照して本発明の実施形態を詳細に説明する。
［第１の実施形態］
図１は、本発明の第１の実施形態の画像読取装置の内部構成を示す。本図は、本実施形態における画像読取装置の側面図である。画像読取装置（スキャナ）は、原稿を走査して読み取った画像を、電気的な画像信号に変換するイメージセンサにて読み取り、それをＡ／Ｄ変換器にてデジタル化した画像信号を外部装置に転送することが可能である。
【０００９】
１は密着型のイメージセンサ（以下ＣＩＳと呼ぶ）であり、２は原稿を載置するためのプラテンガラスであり、３はシェーディング補正処理用の標準白色板であり、４は黒シェーディング用の黒色板である。
【００１０】
図２は、前記プラテンガラス２の裏面図であり、標準白色板３と黒色板４が副走査方向に隣接して配置されている。また５は指標板である。
【００１１】
図３は、本実施形態における画像読取装置の制御回路の構成を示すブロック図である。以下に図３を用いて、本件の回路動作を説明する。
【００１２】
図３において、２０１はＣＩＳであり、光源であるＬＥＤも一体化されており、図１に示すスキャン方向にＣＩＳを走査させることが可能であり、さらにＬＥＤ制御回路２０３にて１ライン毎に各色のＬＥＤ２０２を切り替えて点灯させることにより、ＲＧＢ線順次のカラー画像を読み取ることが可能である。ＬＥＤ２０２は、原稿を照射するための光量を変化させることが可能な光源である。
【００１３】
ＡＭＰ２０４はＣＩＳ２０１より出力された信号を増幅させる増幅器であり、２０５は当該増幅出力のＡ／Ｄ変換を行なって例えば８ビットのディジタル出力を得るＡ／Ｄ変換器である。シェーディングＲＡＭ２０６は、前記標準白色板３及び黒色板４を読み取ることによりシェーディング補正用のデータが記憶されており、シェーディング補正回路２０７は前記シェーディングＲＡＭ２０６のデータに基いて読み取られた画像信号のシェーディング補正を行う。ピーク検知回路２０８は読み取られた画像データに於けるピーク値をライン毎に検知する回路であり、ホームポジションの検知をするために使用される。
【００１４】
ガンマ変換回路２０９は、ホストコンピュータよりあらかじめ設定されたガンマカーブに従って読み取られた画像データのガンマ変換を行う。
【００１５】
バッファＲＡＭ２１０は、実際の読み取り動作とホストコンピュータとの通信におけるタイミングを合わせるために、画像データを１次的に記憶させるためのＲＡＭであり、パッキング／バッファＲＡＭ制御回路２１１は、ホストコンピュータよりあらかじめ設定された画像出力モード（２値、４ビット多値、８ビット多値、２４ビット多値）に従ったパッキング処理を行った後にそのデータをバッファＲＡＭ２１０に書き込む処理と、インターフェース回路２１２にバッファＲＡＭ２１０から画像データを読み込んで出力させる。
【００１６】
インターフェース回路２１２は、パーソナルコンピュータなどの本実施形態に係る画像読取装置のホスト装置となる外部装置２１３との間でコントロール信号の受容や画像信号の出力を行なう。
【００１７】
２１５は例えばマイクロコンピュータ形態のＣＰＵであり、処理手順を格納したＲＯＭ２１５Ａ及び作業用のＲＡＭ２１５Ｂを有し、ＲＯＭ２１５Ａに格納された手順にしたがって各部の制御を行なう。
【００１８】
２１６は例えば水晶発振器、２１４はＣＰＵ２１５の設定に応じて発振器２１６の出力を分周して動作の基準となる各種タイミング信号を発生するタイミング信号発生回路である。
【００１９】
２１７は過電圧検知回路であり、外部の電源であるＡＣアダプタ２１８より入力されるＤＣ電源の電圧レベルを検知する回路であり、入力される電圧が所定のレベルを超えていた場合に、ＣＰＵ２１５に対して信号のレベルを変化させて通知する。
【００２０】
次に、図４のフローチャートを用いて、本実施形態に関して具体的に説明する。ＡＣアダプタのジャックをスキャナに差し込むか、もしくは電源スイッチ（ＳＷ）をオン（ＯＮ）することによりスキャナに電源が投入されると、まずステップＳ１にてＣＰＵ２１５は過電圧検知回路２１７からの信号を検知し、その信号レベルがローレベル（“Ｌｏ”）の場合は、所定の電源が入力されたと判断してステップＳ２に進み初期化処理を行いステップＳ４に進む。そうでなかった場合（信号レベルがハイレベル（“Ｈｉ”）の場合）は、過電圧が入力されたと判断してステップＳ３に進み、過電圧エラーのフラグをセットしてステップＳ４に進む。ステップＳ４にては、ホストコンピュータからの読取り指示コマンドが送信されてくるのを待機し、そのコマンドを受信することによりステップＳ５に進む。ステップＳ５にては、過電圧エラーフラグがセットされているかを判断し、セットされていない場合はステップＳ６に進んで読み取り動作を開始し、セットされている場合はステップＳ７に進んで過電圧エラーの情報（メッセージ）をホストコンピュータに送信した後、処理を終了させる。ステップＳ８にては、読み込まれた画像データが所定のライン数転送されたかを判断し、所定のライン数に達したらステップＳ９に進んで読取り終了処理を行って処理を終了する。
【００２１】
［第２の実施形態］
第１の実施形態においては、外部から入力される電源の過電圧の検知の手段として、過電圧検知用の回路を使用していたが、第２の実施形態においては、ＣＰＵに内蔵されているＡ／Ｄコンバータに前記電圧のレベル信号を入力することにより、ＣＰＵにて過電圧を検知するのも有効な手段であると言える。
【００２２】
以上説明したように、上記の実施形態によれば、電源投入時に外部からの入力電圧を検知する手段と、もし過電圧が入力されていることを検知した場合は、外部装置からの読取り指示に対して、読取り動作を行わずに過電圧が入力されているとのメッセージを外部装置に送信することが可能な手段を有することにより、操作者が誤って別の電源を使用することによって過電圧が入力された場合においても、スキャナのハードウエアを破壊することがなくなり、更に操作者にその情報が伝えられることにより、本来使用すべき電源に変更するような指示を与えることが可能になる。
【００２３】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【００２４】
本発明の実施態様の例を以下に列挙する。
【００２５】
［実施態様１］原稿を走査して読み取った画像を、電気的な画像信号に変換するイメージセンサと、
電源投入後に外部から供給される電源の電圧検知を行う電圧検知手段と、
前記検知された電圧値が所定の値を越えていた時に、前記原稿の読み取り動作を行わないように制御する制御手段と
を有することを特徴とする画像読取装置。
【００２６】
［実施態様２］前記制御手段は、外部装置から読み取り指示を入力した場合、前記検知された電圧値が所定の値を越えていた時に、前記原稿の読み取り動作を行わないように制御することを特徴とする実施態様１記載の画像読取装置。
【００２７】
［実施態様３］前記制御手段は、外部装置から読み取り指示を入力した場合、前記検知された電圧値が所定の値を越えていた時に、過電圧が入力されていることを示す情報を前記外部装置に出力することを有することを特徴とする実施態様２記載の画像読取装置。
【００２８】
［実施態様４］さらに、原稿を照射するための光量を変化させることが可能な光源と、
前記画像信号をデジタル信号に変換するためのＡ／Ｄ変換器と
を有することを特徴とする実施態様１〜３のいずれか１項に記載の画像読取装置。
【００２９】
［実施態様５］原稿を走査して読み取った画像を、電気的な画像信号に変換するイメージセンサと、
電源投入後に外部から供給される電源の電圧検知を行う電圧検知手段と、
前記検知された電圧値が所定の値を越えていた時に、過電圧が入力されていることを示す情報を出力する出力手段と
を有することを特徴とする画像読取装置。
【００３０】
［実施態様６］前記出力手段は、外部装置から読み取り指示を入力した場合、前記検知された電圧値が所定の値を越えていた時に、過電圧が入力されていることを示す情報を前記外部装置に出力することを特徴とする実施態様５記載の画像読取装置。
【００３１】
［実施態様７］さらに、原稿を照射するための光量を変化させることが可能な光源と、
前記画像信号をデジタル信号に変換するためのＡ／Ｄ変換器と
を有することを特徴とする実施態様５又は６記載の画像読取装置。
【００３２】
［実施態様８］原稿を走査して読み取った画像を、電気的な画像信号に変換するイメージセンサを有する画像読取装置の画像読取方法であって、
電源投入後に外部から供給される電源の電圧検知を行う電圧検知ステップと、
前記検知された電圧値が所定の値を越えていた時に、画像読み取り動作を行わないように制御する制御ステップと
を有することを特徴とする画像読取方法。
【００３３】
［実施態様９］原稿を走査して読み取った画像を、電気的な画像信号に変換するイメージセンサを有する画像読取装置の画像読取方法であって、
電源投入後に外部から供給される電源の電圧検知を行う電圧検知ステップと、
前記検知された電圧値が所定の値を越えていた時に、過電圧が入力されていることを示す情報を出力する出力ステップと
を有することを特徴とする画像読取方法。
【００３４】
【発明の効果】
以上説明したように、本発明によれば、外部から供給される電源電圧が所定値を越えた時には原稿読み取り動作を行わないので、誤って過電圧が入力された状態にて読み取り動作を行おうとした場合でも、画像読取装置のハードウエアが破壊されることを防ぐことができる。
【図面の簡単な説明】
【図１】本発明の実施形態に係る画像読取装置の内部構成図である。
【図２】プラテンガラスの裏面図である。
【図３】本発明の実施形態に係る画像読取装置の電気的構成の一例を示すブロック図である。
【図４】本発明の実施形態の処理動作を具体的に示すフローチャートである。
【符号の説明】
１  イメージセンサ
２  プラテンガラス
３  標準白色板
４  黒色板
５  指標板
２０１  イメージセンサ
２０２  ＬＥＤ
２０３  ＬＥＤ制御回路
２０４  増幅器
２０５  Ａ／Ｄ変換器
２０６  シェーディングＲＡＭ
２０７  シェーディング補正回路
２０８  ピーク検知回路
２０９  ガンマ変換回路
２１０  バッファＲＡＭ
２１１  パッキング／バッファＲＡＭ制御回路
２１２  インターフェース回路
２１３  外部装置
２１４  タイミング信号発生回路
２１５  ＣＰＵ
２１５Ａ  ＲＯＭ
２１５Ｂ  ＲＡＭ
２１６  水晶発振器
２１７  過電圧検知回路
２１８  ＡＣアダプタ
【図１】
2004193783.tif 000003
【図２】
2004193783.tif 000004
【図３】
2004193783.tif 000005
【図４】
2004193783.tif 000006